(57)【要約】【課題】装置が大型化するのを抑制するとともに、操作ボタンの機能を操作者自身が切り替える必要のないリモートコントロール装置および映像システムを提供する。【解決手段】このリモートコントローラ１（リモートコントロール装置）は、筐体１０と、筐体１０の表面上に形成され、各々が複数の機能を有する複数の操作ボタン１１ａ〜１１ｋと、筐体１０の向きを検知するための加速度センサ１３と、加速度センサ１３によって検知された筐体１０の向きに基づいて、操作ボタン１１ａ〜１１ｋに割り当てられた機能を選択するように制御を行う制御部１４と、選択された操作ボタン１１ａ〜１１ｋの機能に応じた操作情報（レコーダ操作情報およびテレビ操作情報）を送信するためのレコーダ用送信部１２ａおよびテレビ用送信部１２ｂとを備える。【選択図】図７
2010193223.tif 000002
【特許請求の範囲】
【請求項１】
筐体と、
前記筐体の表面上に形成され、各々が複数の機能を有する複数の操作ボタンと、
前記筐体の向きを検知するための検知部と、
前記検知部によって検知された前記筐体の向きに基づいて、前記操作ボタンに割り当てられた機能を選択するように制御を行う制御部と、
選択された前記操作ボタンの機能に応じた操作情報を送信するための送信部とを備える、リモートコントロール装置。
【請求項２】
前記検知部は、操作者に対する前記筐体の向きを検知するために設けられており、
前記制御部は、前記操作者に対する前記筐体の向きが第１の向きである場合には、第１のモードを選択し、前記第１のモードに対応する前記操作ボタンの第１機能に応じて、第１の操作情報を生成するとともに、前記操作者に対する前記筐体の向きが第２の向きである場合には、第２のモードを選択し、前記第２のモードに対応する前記操作ボタンの第２機能に応じて、第２の操作情報を生成するように構成されている、請求項１に記載のリモートコントロール装置。
【請求項３】
前記検知部は、水平面に対する前記筐体の傾きを検知することによって、前記操作者に対する前記筐体の向きを検知するように構成されており、
前記制御部において、前記筐体の一方端側が前記筐体の他方端側よりも下方または上方の一方に傾いていると判断される場合には、前記筐体の向きが前記第１の向きであると判断されて前記第１のモードが選択されるとともに、前記筐体の他方端側が前記筐体の一方端側よりも前記下方または上方の一方に傾いていると判断される場合には、前記筐体の向きが前記第２の向きであると判断されて前記第２のモードが選択されるように構成されている、請求項２に記載のリモートコントロール装置。
【請求項４】
前記操作ボタンの第１機能の内容と前記操作ボタンの第２機能の内容とをそれぞれ表示する機能表示部をさらに備え、
前記機能表示部は、前記筐体の向きが前記第１の向きである場合に、前記操作者により前記第１機能の内容を読むことが可能なように表示するとともに、前記筐体の向きが前記第２の向きである場合に、前記操作者により前記第２機能の内容を読むことが可能なように表示するように構成されている、請求項２または３に記載のリモートコントロール装置。
【請求項５】
前記機能表示部は、前記操作者の見る角度によって表示内容の見え方が異なるように構成されたホログラムシートを含み、
前記ホログラムシートを用いて、前記筐体の向きが前記第１の向きである場合に、前記操作ボタンの前記第１機能の内容を表示するとともに、前記筐体の向きが前記第２の向きである場合に、前記操作ボタンの前記第２機能の内容を表示するように構成されている、請求項４に記載のリモートコントロール装置。
【請求項６】
前記筐体は、前記一方端側から前記他方端側に沿って曲がった形状を有するように構成されており、
前記制御部において、前記筐体の一方端側が前記操作者によって把持される場合には、前記筐体の一方端側が前記筐体の他方端側よりも下方または上方の一方に傾いていると判断され、前記筐体の向きが前記第１の向きであると判断されて前記第１のモードが選択されるとともに、前記筐体の他方端側が前記操作者によって把持される場合には、前記筐体の他方端側が前記筐体の一方端側よりも下方または上方の一方に傾いていると判断され、前記筐体の向きが前記第２の向きであると判断されて前記第２のモードが選択されるように構成されている、請求項３に記載のリモートコントロール装置。
【請求項７】
前記検知部は、前記筐体が前記操作者によって把持される際の前記操作者による前記検知部に対する接触を検知することによって、前記操作者に対する前記筐体の向きを検知するように構成されており、
前記制御部は、前記操作者に対する前記筐体の向きが前記第１の向きである場合には、前記第１のモードを選択するとともに、前記操作者に対する前記筐体の向きが前記第２の向きである場合には、前記第２のモードを選択するように構成されている、請求項２に記載のリモートコントロール装置。
【請求項８】
前記制御部は、所定の時間ごとに、前記操作者に対する前記筐体の向きを判断するように構成されている、請求項１〜７のいずれか１項に記載のリモートコントロール装置。
【請求項９】
筐体と、前記筐体の表面上に形成され、各々が複数の機能を有する複数の操作ボタンと、前記筐体の向きを検知するための検知部と、前記検知部によって検知された前記筐体の向きに基づいて、前記操作ボタンに割り当てられた機能を選択するように制御を行う制御部と、選択された前記操作ボタンの機能に応じた操作情報を送信するための送信部とを含むリモートコントロール装置と、
前記リモートコントロール装置から送信された前記操作情報を受信する第１受信部を含む第１映像装置と、
前記リモートコントロール装置から送信された前記操作情報を受信する第２受信部を含む第２映像装置とを備える、映像システム。
【発明の詳細な説明】
【技術分野】
【０００１】
この発明は、リモートコントロール装置および映像システムに関し、特に、操作ボタンを備えるリモートコントロール装置および映像システムに関する。
【背景技術】
【０００２】
従来、操作ボタンを備えるリモートコントロール装置および映像システムが知られている（たとえば、特許文献１〜４参照）。
【０００３】
上記特許文献１には、本体と、本体の上面に形成された複数のスイッチ（操作ボタン）と、押下によってカーナビゲーションモードとカーオーディオモードとを切り替えるためのモード切替スイッチと、カーナビゲーションモードまたはカーオーディオモードに基づいて、スイッチに割り当てられた機能を選択するように制御を行うＣＰＵと、信号を送信する発光ダイオード（送信部）とを備えるリモートコントロール装置が開示されている。
【０００４】
また、上記特許文献２および３には、装置本体の上下方向の両面にそれぞれ形成された操作ボタン群（操作ボタンスイッチ群）と、装置本体の上面側を自動で認識する切り替えスイッチ（重力センサ）とを備えるリモコン送信機が開示されている。このリモコン送信機は、切り替えスイッチによって、装置本体の上面側の操作ボタン群だけが機能するように構成されている。これにより、上面と下面とが入れ替わることによって、上面から下面に切り替わった操作ボタン群は、機能していた状態から機能しない状態に切り替わるとともに、下面から上面に切り替わった操作ボタン群は、機能していない状態から機能する状態に切り替わるように構成されている。
【０００５】
また、上記特許文献４には、第１操作子および第２操作子（操作ボタン）と、前後左右の移動および回転を検出するモーションコントロールセンサと、モーションコントロールセンサによって検出された前後左右の移動量および回転量に基づいて、テレビ受像装置に対応する操作を決定する操作指示部（制御部）とを備えるリモコン装置が開示されている。このリモコン装置は、第１操作子が押下された状態で前後左右に移動または回転されることによって、予め設定されている前後移動、左右移動および回転にそれぞれ対応する操作が、テレビ受像装置において行われるように構成されている。また、リモコン装置は、テレビ受像装置に対応する操作が異なる複数のモードを有している。そして、操作者は、第２操作子を押下することによって複数のモードが表示された設定画面をテレビ受像装置に表示させた後に、第１操作子を押下した状態で、リモコン装置を前後移動、左右移動および回転させて複数のモードの中から希望のモードを選択することによって、リモコン装置の前後移動、左右移動および回転に対応する機能を切り替えることが可能である。
【先行技術文献】
【特許文献】
【０００６】
【特許文献１】特開２００２−６４８９０号公報
【特許文献２】特開平８−２２３６５７号公報
【特許文献３】特開平９−２３３５７６号公報
【特許文献４】特開２００８−４２７４８号公報
【発明の概要】
【発明が解決しようとする課題】
【０００７】
しかしながら、上記特許文献１に記載のリモートコントロール装置では、スイッチの機能をカーナビゲーションモードとカーオーディオモードとに切り替えるために、操作者自身がモード切替スイッチを押下してモード切替操作を行う必要がある。このため、操作者自身がスイッチの機能を切り替える分、手間を要するという問題点がある。
【０００８】
また、上記特許文献２および３に記載のリモコン送信機では、操作ボタン群（操作ボタンスイッチ群）自体の機能は切り替わらないため、機能の数だけ各機能に対応するボタンを設ける必要がある。このため、機能の数が増加するのに伴ってボタン数が増加する場合には、装置が大型化しやすくなるという問題点がある。
【０００９】
また、上記特許文献４のリモコン装置では、リモコン装置の機能を切り替えるために、操作者自身が第２操作子を押下してテレビ受像装置に設定画面を表示させた後に、第１操作子を押下した状態で、リモコン装置を前後移動、左右移動および回転させて希望のモードを選択する必要がある。このため、操作者自身がリモコン装置の前後移動、左右移動および回転に対応する機能を切り替える際に手間を要するという問題点がある。
【００１０】
この発明は、上記のような課題を解決するためになされたものであり、この発明の１つの目的は、装置が大型化するのを抑制するとともに、操作ボタンの機能を操作者自身が切り替える必要のないリモートコントロール装置および映像システムを提供することである。
【課題を解決するための手段および発明の効果】
【００１１】
この発明の第１の局面によるリモートコントロール装置は、筐体と、筐体の表面上に形成され、各々が複数の機能を有する複数の操作ボタンと、筐体の向きを検知するための検知部と、検知部によって検知された筐体の向きに基づいて、操作ボタンに割り当てられた機能を選択するように制御を行う制御部と、選択された操作ボタンの機能に応じた操作情報を送信するための送信部とを備える。
【００１２】
この第１の局面によるリモートコントロール装置では、上記のように、筐体の向きを検知するための検知部と、検知部によって検知された筐体の向きに基づいて、操作ボタンに割り当てられた機能を選択するように制御を行う制御部とを備えることによって、制御部は、検知部により検知された筐体の向きに基づいて、操作ボタンの機能を自動的に切り替えるように制御することができるので、操作ボタンの機能を操作者自身が切り替える必要がない。また、複数の操作ボタンは、各々が複数の機能を有するので、機能の数だけ各機能に対応する操作ボタンを設ける必要がない。これにより、機能の数が増加する場合においても、操作ボタンの数を増加させて対応する必要がないので、装置が大型化するのを抑制することができる。
【００１３】
上記第１の局面によるリモートコントロール装置において、好ましくは、検知部は、操作者に対する筐体の向きを検知するために設けられており、制御部は、操作者に対する筐体の向きが第１の向きである場合には、第１のモードを選択し、第１のモードに対応する操作ボタンの第１機能に応じて、第１の操作情報を生成するとともに、操作者に対する筐体の向きが第２の向きである場合には、第２のモードを選択し、第２のモードに対応する操作ボタンの第２機能に応じて、第２の操作情報を生成するように構成されている。このように構成すれば、操作者に対する筐体の向きが検知部によって検知される向きになることによって、操作者にとって使用しやすい向きに応じて操作ボタンの機能を選択させるように構成することができるので、操作者にリモートコントロール装置を使用させやすくすることができる。
【００１４】
この場合、好ましくは、検知部は、水平面に対する筐体の傾きを検知することによって、操作者に対する筐体の向きを検知するように構成されており、制御部において、筐体の一方端側が筐体の他方端側よりも下方または上方の一方に傾いていると判断される場合には、筐体の向きが第１の向きであると判断されて第１のモードが選択されるとともに、筐体の他方端側が筐体の一方端側よりも下方または上方の一方に傾いていると判断される場合には、筐体の向きが第２の向きであると判断されて第２のモードが選択されるように構成されている。このように構成すれば、操作者は、筐体を傾けることによって、操作ボタンの機能を選択することができるので、容易に、操作ボタンの機能を選択することができる。
【００１５】
上記検知部が操作者に対する筐体の向きを検知するリモートコントロール装置において、好ましくは、操作ボタンの第１機能の内容と操作ボタンの第２機能の内容とをそれぞれ表示する機能表示部をさらに備え、機能表示部は、筐体の向きが第１の向きである場合に、操作者により第１機能の内容を読むことが可能なように表示するとともに、筐体の向きが第２の向きである場合に、操作者により第２機能の内容を読むことが可能なように表示するように構成されている。このように構成すれば、操作者は、リモートコントロール装置を第１の向きと第２の向きとのいずれの向きにした場合においても、操作ボタンの機能の内容を容易に確認することができるので、操作者が操作ボタンの操作を誤るのを抑制することができる。
【００１６】
この場合、好ましくは、機能表示部は、操作者の見る角度によって表示内容の見え方が異なるように構成されたホログラムシートを含み、ホログラムシートを用いて、筐体の向きが第１の向きである場合に、操作ボタンの第１機能の内容を表示するとともに、筐体の向きが第２の向きである場合に、操作ボタンの第２機能の内容を表示するように構成されている。このように構成すれば、ホログラムシートを用いることによって、筐体の向きが第１の向きである場合に、操作ボタンの第２機能の内容を表示した機能表示部を読みにくくすることができるとともに、筐体の向きが第２の向きである場合に、操作ボタンの第１機能の内容を表示した機能表示部を読みにくくすることができる。これにより、操作者は、筐体の向きに応じた機能表示部をより確認しやすくなるので、リモートコントロール装置を第１の向きと第２の向きとのいずれの向きにした場合においても、操作ボタンの操作を誤るのをより抑制することができる。また、ホログラムシートを用いて表示することによって、液晶表示装置などの表示装置を用いる必要がないので、装置の構成が複雑化するのを抑制でき、その結果、装置の大型化をさらに抑制することができる。
【００１７】
上記検知部が水平面に対する筐体の傾きを検知するリモートコントロール装置において、好ましくは、筐体は、一方端側から他方端側に沿って曲がった形状を有するように構成されており、制御部において、筐体の一方端側が操作者によって把持される場合には、筐体の一方端側が筐体の他方端側よりも下方または上方の一方に傾いていると判断され、筐体の向きが第１の向きであると判断されて第１のモードが選択されるとともに、筐体の他方端側が操作者によって把持される場合には、筐体の他方端側が筐体の一方端側よりも下方または上方の一方に傾いていると判断され、筐体の向きが第２の向きであると判断されて第２のモードが選択されるように構成されている。このように構成すれば、曲がった形状を有する筐体により、操作者に筐体の一方端近傍または他方端近傍を略垂直方向に把持しやすいように構成することができる。これにより、リモートコントロール装置を、操作者によって、筐体の一方端側が筐体の他方端側よりも下方または上方の一方に傾くように把持されやすいように構成することができるので、より確実に、筐体を傾けた状態にすることができる。
【００１８】
上記検知部が操作者に対する筐体の向きを検知するリモートコントロール装置において、好ましくは、検知部は、筐体が操作者によって把持される際の操作者による検知部に対する接触を検知することによって、操作者に対する筐体の向きを検知するように構成されており、制御部は、操作者に対する筐体の向きが第１の向きである場合には、第１のモードを選択するとともに、操作者に対する筐体の向きが第２の向きである場合には、第２のモードを選択するように構成されている。このように構成すれば、操作者は、検知部に接触するように筐体を把持することによって、筐体の傾きに拘らず、操作ボタンの機能を選択することができるので、操作ボタンの機能をより確実に選択することができる。
【００１９】
上記第１の局面によるリモートコントロール装置において、好ましくは、制御部は、所定の時間ごとに、操作者に対する筐体の向きを判断するように構成されている。このように構成すれば、制御部は、所定の時間ごとに定期的に筐体の向きを判断するので、操作者が筐体の向きを変えた場合にも、制御部は、容易に変化後の筐体の向きを判断することができる。
【００２０】
この発明の第２の局面による映像システムは、筐体と、筐体の表面上に形成され、各々が複数の機能を有する複数の操作ボタンと、筐体の向きを検知するための検知部と、検知部によって検知された筐体の向きに基づいて、操作ボタンに割り当てられた機能を選択するように制御を行う制御部と、選択された操作ボタンの機能に応じた操作情報を送信するための送信部とを含むリモートコントロール装置と、リモートコントロール装置から送信された操作情報を受信する第１受信部を含む第１映像装置と、リモートコントロール装置から送信された操作情報を受信する第２受信部を含む第２映像装置とを備える。
【００２１】
この第２の局面による映像システムでは、上記のように、リモートコントロール装置が、筐体の向きを検知するための検知部と、検知部によって検知された筐体の向きに基づいて、操作ボタンに割り当てられた機能を選択するように制御を行う制御部とを含むことによって、制御部は、検知部により検知された筐体の向きに基づいて、操作ボタンの機能を自動的に切り替えるように制御することができるので、操作ボタンの機能を操作者自身が切り替える必要がない。また、複数の操作ボタンは、各々が複数の機能を有するので、機能の数だけ各機能に対応する操作ボタンを設ける必要がない。これにより、機能の数が増加する場合においても、操作ボタンの数を増加させて対応する必要がないので、リモートコントロール装置が大型化するのを抑制することができる。
【図面の簡単な説明】
【００２２】
【図１】本発明の第１実施形態による映像システムの全体構成を示した図である。
【図２】本発明の第１実施形態による映像システムの全体構成を示した図である。
【図３】図１に示した映像システムのリモートコントローラを示した上面図である。
【図４】図１に示した映像システムのリモートコントローラを示した上面図である。
【図５】図１に示した映像システムの構成を示すブロック図である。
【図６】図１に示した映像システムのリモートコントローラを示した側面図である。
【図７】図１に示した映像システムのリモートコントローラが傾けられた状態を示した側面図である。
【図８】図１に示した映像システムのリモートコントローラが傾けられた状態を示した側面図である。
【図９】本発明の第１実施形態による映像システムのリモートコントローラのモード設定時の制御フローを示した図である。
【図１０】本発明の第１実施形態による映像システムのリモートコントローラのボタン押下時の制御フローを示した図である。
【図１１】本発明の第１実施形態による映像システムのレコーダおよび液晶テレビジョンの制御フローを示した図である。
【図１２】本発明の第２実施形態によるリモートコントローラを示した側面図である。
【図１３】本発明の第２実施形態によるリモートコントローラを示した側面図である。
【図１４】本発明の第３実施形態によるリモートコントローラを示した上面図である。
【図１５】本発明の第３実施形態によるリモートコントローラを示した側面図である。
【図１６】本発明の第３実施形態によるリモートコントローラを示した側面図である。
【図１７】本発明の第１変形例によるリモートコントローラを示した上面図である。
【図１８】本発明の第２変形例によるリモートコントローラを示した上面図である。
【発明を実施するための形態】
【００２３】
以下、本発明を具体化した実施形態を図面に基づいて説明する。
【００２４】
（第１実施形態）
まず、図１〜図８を参照して、本発明の第１実施形態による映像システム１００の構成について説明する。
【００２５】
本発明の第１実施形態による映像システム１００は、図１および図２に示すように、リモートコントローラ１と、レコーダ２と、液晶テレビジョン３とを備える。なお、リモートコントローラ１は、本発明の「リモートコントロール装置」の一例である。また、レコーダ２および液晶テレビジョン３は、それぞれ、本発明の「第１映像装置」および「第２映像装置」の一例である。
【００２６】
また、リモートコントローラ１は、図３および図４に示すように、Ｚ方向（図１および図２参照）から見て小判型に形成された筐体１０と、筐体１０の上面（図１および図２のＺ１方向側の面）に配置された操作ボタン１１ａ〜１１ｋと、筐体１０の側面のＸ１方向側に配置され、ある程度レコーダ２（図１参照）に向けられた状態で、レコーダ２に赤外線信号を送信するレコーダ用送信部１２ａと、筐体１０の側面のＸ２方向側に配置され、ある程度液晶テレビジョン３（図２参照）に向けられた状態で、液晶テレビジョン３に赤外線信号を送信するテレビ用送信部１２ｂとを含む。また、操作ボタン１１ａ〜１１ｋには、それぞれ、操作者１０００によるボタン押下時のモード（レコーダモードまたはテレビモード）に応じた機能が割り当てられている。なお、操作ボタン１１ａ〜１１ｋのそれぞれに割り当てられた具体的な機能については後述する。なお、レコーダ用送信部１２ａおよびテレビ用送信部１２ｂは、それぞれ、本発明の「送信部」の一例である。また、レコーダモードは、本発明の「第１のモード」の一例であり、テレビモードは、本発明の「第２のモード」の一例である。
【００２７】
また、リモートコントローラ１には、図５に示すように、加速度センサ１３と、制御部１４と、記憶部１５とが設けられている。加速度センサ１３は、図６に示すように、側面から見て筐体１０の中央部に配置され、水平面に対する筐体１０のＸＹ平面（図３および図４参照）における傾きを検知する機能を有する。また、図５に示すように、記憶部１５には、制御部１４によって読み出される、レコーダモードに対応したレコーダ操作情報およびテレビモードに対応したテレビ操作情報が格納されている。なお、加速度センサ１３は、本発明の「検知部」の一例であり、レコーダ操作情報は、本発明の「第１の操作情報」および「操作情報」の一例であり、テレビ操作情報は、本発明の「第２の操作情報」および「操作情報」の一例である。
【００２８】
ここで、第１実施形態では、制御部１４は、約１秒ごとに、水平面に対する筐体１０（図３参照）の長手方向（図３のＸ方向）におけるＸＹ平面の傾きに応じて、ボタン押下時のモードを選択するように構成されている。具体的には、図７に示すように、加速度センサ１３の筐体１０の端部１０ａ側が水平面に対して上方に角度αで傾くことによって、筐体１０のＸ１方向側の端部１０ａが筐体１０のＸ２方向側の端部１０ｂよりも上方（Ｚ１方向側）に位置する場合には、制御部１４は、操作者１０００に対する筐体１０の向きがＡ方向である（筐体１０のＸ２方向側の端部１０ｂが操作者１０００側に位置している）と判断し、レコーダモードを選択するように構成されている。また、図８に示すように、加速度センサ１３の筐体１０の端部１０ａ側が水平面に対して下方に角度βで傾くことによって、筐体１０のＸ２方向側の端部１０ｂが筐体１０のＸ１方向側の端部１０ａよりも上方に位置する場合には、制御部１４は、操作者１０００に対する筐体１０の向きがＢ方向である（筐体１０のＸ１方向側の端部１０ａが操作者１０００側に位置している）と判断し、テレビモードを選択するように構成されている。なお、リモートコントローラ１には、ボタン押下時のモードを切り替えるためのボタンは設けられていない。なお、端部１０ａは、本発明の「一方端」の一例であり、端部１０ｂは、本発明の「他方端」の一例である。また、Ａ方向は、本発明の「第１の方向」の一例であり、Ｂ方向は、本発明の「第２の方向」の一例である。
【００２９】
また、第１実施形態では、図５に示すように、レコーダモードが選択された状態で、操作者１０００（図７参照）によって操作ボタン１１ａ〜１１ｋのいずれかが押下された場合には、制御部１４は、レコーダ用送信部１２ａを介して、レコーダ２にレコーダモードに対応したレコーダ操作情報を送信するように構成されている。また、テレビモードが選択された状態で、操作者１０００（図８参照）によって操作ボタン１１ａ〜１１ｋのいずれかが押下された場合には、テレビ用送信部１２ｂを介して、液晶テレビジョン３にテレビモードに対応したテレビ操作情報を送信するように構成されている。
【００３０】
また、図５に示すように、レコーダ２と液晶テレビジョン３とは、互いに電気的に接続されている。また、レコーダ２は、筐体２０（図１参照）の正面に設けられた受信部２１（図１参照）と、制御部２２と、記憶部２３とを含む。また、受信部２１は、リモートコントローラ１のレコーダ用送信部１２ａから送信されたレコーダ操作情報を受信する機能を有する。また、制御部２２は、リモートコントローラ１から送信されたレコーダモードに対応したレコーダ操作情報に対応する処理動作を行うように構成されている。また、記憶部２３には、制御部２２によって読み出される、レコーダ操作情報に対応する処理動作の内容が格納されている。なお、受信部２１は、本発明の「第１受信部」の一例である。
【００３１】
また、レコーダ２は、図示しない任意のＤＶＤ（Ｄｉｇｉｔａｌ  Ｖｅｒｓａｔｉｌｅ  Ｄｉｓｃ）が挿入され、ＤＶＤの再生またはＤＶＤへの録画が行われるＤＶＤ再生／記録部２４と、液晶テレビジョン３の後述するテレビジョン放送受信部３６によって受信されたテレビジョン放送の録画データが主に格納されているＨＤＤ（Ｈａｒｄ  Ｄｉｓｃ  Ｄｒｉｖｅ）２５とを含む。
【００３２】
また、液晶テレビジョン３は、図１および図２に示すように、筐体３０の正面の側面近傍に設けられた受信部３１と、筐体３０の正面の略全面に設けられ、画像を表示可能な表示画面部３２と、筐体３０の正面の下部に設けられ、音声を出すことが可能なスピーカ３３とを含む。また、受信部３１は、リモートコントローラ１のテレビ用送信部１２ｂから送信されたテレビ操作情報を受信する機能を有する。なお、受信部３１は、本発明の「第２受信部」の一例である。
【００３３】
また、液晶テレビジョン３には、図５に示すように、制御部３４と、記憶部３５と、テレビジョン放送受信部３６とが設けられている。制御部３４は、リモートコントローラ１から送信されたテレビ操作情報に対応する処理動作を行うように構成されている。また、記憶部３５には、制御部３４によって読み出される、テレビモードに対応したテレビ操作情報に対応する処理動作の内容が格納されている。また、テレビジョン放送受信部３６は、テレビジョン放送およびケーブルテレビジョン放送と、テレビジョン放送の番組表およびケーブルテレビジョン放送の番組表とを受信する機能を有する。
【００３４】
また、図３に示すように、リモートコントローラ１の筐体１０の上面に配置された操作ボタン１１ａ〜１１ｋのそれぞれのＸ２方向側の近傍には、ホログラムシールからなるボタン表示部１６ａ〜１６ｋが配置されている。このホログラムシールからなるボタン表示部１６ａ〜１６ｋは、それぞれ、操作者１０００に対する筐体１０の向きがＡ方向である場合に、操作者１０００がＡ方向に見て読むことが可能であるように表示されるように構成されている。また、ボタン表示部１６ａ〜１６ｋには、それぞれ、操作ボタン１１ａ〜１１ｋのレコーダモードに対応する機能が記載されている。また、ホログラムシールからなるボタン表示部１６ａ〜１６ｋは、図４に示すように、Ｘ１方向側から見て視認が困難であるとともに、記載された文字が反対方向に表示されるように構成されている。なお、ボタン表示部１６ａ〜１６ｋは、本発明の「機能表示部」の一例である。
【００３５】
具体的には、図３に示すように、レコーダモードにおいて、操作ボタン１１ａには、レコーダ２の電源の入切を切り替えさせる機能が割り当てられているとともに、ボタン表示部１６ａは、Ａ方向から見て「レコーダ電源」と視認可能なように表示されている。また、操作ボタン１１ｂには、ＤＶＤ（図示せず）またはＨＤＤ２５に格納されている録画画像のリストを液晶テレビジョン３の表示画面部３２に表示させる機能が割り当てられているとともに、ボタン表示部１６ｂは、Ａ方向から見て「録画リスト」と視認可能なように表示されている。また、操作ボタン１１ｃには、ＤＶＤ再生／記録部２４を動作させるモードとＨＤＤ２５を動作させるモードとを切り替えさせる機能が割り当てられているとともに、ボタン表示部１６ｃは、Ａ方向から見て「ＤＶＤ／ＨＤＤ」と視認可能なように表示されている。
【００３６】
また、レコーダモードにおいて、操作ボタン１１ｄには、ＤＶＤまたはＨＤＤ２５に格納されている録画画像などの最初の画像に戻させる機能が割り当てられているとともに、ボタン表示部１６ｄは、Ａ方向から見て「前」と視認可能なように表示されている。また、操作ボタン１１ｅには、ＤＶＤまたはＨＤＤ２５に格納されている録画画像などを通常の再生速度よりも速い速度で現在表示されている画像よりも前の画像に戻らせる機能が割り当てられているとともに、ボタン表示部１６ｅは、Ａ方向から見て「早戻り」と視認可能なように表示されている。また、操作ボタン１１ｆには、ＤＶＤまたはＨＤＤ２５に格納されている録画画像などを通常の再生速度よりも速い速度で現在表示されている画像よりも先の画像に進ませる機能が割り当てられているとともに、ボタン表示部１６ｆは、Ａ方向から見て「早送り」と視認可能なように表示されている。また、操作ボタン１１ｇには、ＤＶＤまたはＨＤＤ２５に格納されている録画画像などの最後の画像に進ませる機能が割り当てられているとともに、ボタン表示部１６ｇは、Ａ方向から見て「次」と視認可能なように表示されている。
【００３７】
また、レコーダモードにおいて、操作ボタン１１ｈには、ＤＶＤまたはＨＤＤ２５に格納されている録画画像などを再生させる、または、再生中の録画画像などを一時停止させる機能が割り当てられているとともに、ボタン表示部１６ｈは、Ａ方向から見て「再生／一時停止」と視認可能なように表示されている。また、操作ボタン１１ｉには、ＤＶＤまたはＨＤＤ２５に格納されている録画画像などの再生を停止させる機能と、テレビ放送画像などの録画を停止させる機能とが割り当てられているとともに、ボタン表示部１６ｉは、Ａ方向から見て「停止」と視認可能なように表示されている。また、操作ボタン１１ｊには、テレビ放送画像などを録画させる機能が割り当てられているとともに、ボタン表示部１６ｊは、Ａ方向から見て「録画」と視認可能なように表示されている。また、操作ボタン１１ｋには、レコーダ２が有するメニューを表示される機能が割り当てられているとともに、ボタン表示部１６ｋは、Ａ方向から見て「メニュー」と視認可能なように表示されている。
【００３８】
また、図４に示すように、筐体１０の上面に配置された操作ボタン１１ａ〜１１ｋのそれぞれのＸ１方向側の近傍には、ホログラムシールからなるボタン表示部１７ａ〜１７ｉが配置されている。このホログラムシールからなるボタン表示部１７ａ〜１７ｉは、操作者１０００に対する筐体１０の向きがＢ方向である場合に、操作者１０００がＢ方向に見て読むことが可能であるように表示されるように構成されている。また、ボタン表示部１７ａ〜１７ｉには、それぞれ、操作ボタン１１ａ〜１１ｋのテレビモードに対応する機能が記載されている。また、ホログラムシールからなるボタン表示部１７ａ〜１７ｉは、図３に示すように、Ｘ２方向側から見て視認が困難であるとともに、記載された文字が反対方向に表示されるように構成されている。なお、ボタン表示部１７ａ〜１７ｉは、本発明の「機能表示部」の一例である。
【００３９】
具体的には、図４に示すように、テレビモードにおいて、操作ボタン１１ａには、テレビジョン放送の番組表およびケーブルテレビジョン放送の番組表を表示画面部３２に表示させる機能が割り当てられているとともに、ボタン表示部１７ａは、Ｂ方向から見て「番組表」と視認可能なように表示されている。また、操作ボタン１１ｂには、スピーカ３３の音量を大きくさせる機能が割り当てられているとともに、操作ボタン１１ｃには、スピーカ３３の音量を小さくさせる機能が割り当てられている。そして、操作ボタン１１ｂおよび１１ｃの間に位置するボタン表示部１７ｂは、Ｂ方向から見て「音量」と視認可能なように表示されている。
【００４０】
また、テレビモードにおいて、操作ボタン１１ｄには、アナログ放送とデジタル放送とを切り替えさせる機能が割り当てられているとともに、ボタン表示部１７ｃは、Ｂ方向から見て「放送切替」と視認可能なように表示されている。また、操作ボタン１１ｅには、表示画面部３２に現在表示されているチャンネルの番号よりも大きい番号のチャンネルを選局させる機能が割り当てられているとともに、操作ボタン１１ｆには、表示画面部３２に現在表示されているチャンネルの番号よりも小さい番号のチャンネルを選局させる機能が割り当てられている。そして、操作ボタン１１ｅおよび１１ｆの間に位置するボタン表示部１７ｄは、Ｂ方向から見て「チャンネル」と視認可能なように表示されている。また、操作ボタン１１ｇには、ケーブルテレビジョン放送を受信して、表示画面部３２に表示させる機能が割り当てられているとともに、ボタン表示部１７ｅは、Ｂ方向から見て「ＣＡＴＶ」と視認可能なように表示されている。
【００４１】
また、テレビモードにおいて、操作ボタン１１ｈには、表示画面部３２の画像を表示する画面の大きさを切り替えさせる機能が割り当てられているとともに、ボタン表示部１７ｆは、Ｂ方向から見て「画面サイズ」と視認可能なように表示されている。また、操作ボタン１１ｉには、表示画面部３２の状態を表示させる機能が割り当てられているとともに、ボタン表示部１７ｇは、Ｂ方向から見て「画面表示」と視認可能なように表示されている。また、操作ボタン１１ｊには、液晶テレビジョン３の電源の入切を切り替えさせる機能が割り当てられているとともに、ボタン表示部１７ｈは、Ｂ方向から見て「テレビ電源」と視認可能なように表示されている。また、操作ボタン１１ｋには、スピーカ３３からの音声出力を停止させる機能が割り当てられているとともに、ボタン表示部１７ｉは、Ｂ方向から見て「消音」と視認可能なように表示されている。
【００４２】
また、図３および図４に示すように、操作ボタン１１ａと操作ボタン１１ｊとは、互いに色が異なるように構成されている。これにより、操作者１０００は、リモートコントローラ１の向き（Ａ方向またはＢ方向）を確認することが可能である。また、操作ボタン１１ｄ〜１１ｇの上面には、図４に示すように、それぞれの機能を端的に表現した記号が表示されている。また、操作ボタン１１ｂおよび１１ｃの上面には、ホログラムシールからなり、それぞれの機能を表現した記号が表示されている。これらの記号は、テレビモードにおいて、操作者１０００に対する筐体１０の向きがＢ方向である場合に、操作者１０００がＢ方向に見て読むことが可能であるように表示されている。また、操作ボタン１１ｈおよび１１ｉの上面には、図３に示すように、ホログラムシールからなり、それぞれの機能を表現した記号が表示されている。これらの記号は、レコーダモードにおいて、操作者１０００に対する筐体１０の向きがＡ方向である場合に、操作者１０００がＡ方向に見て読むことが可能であるように表示されている。
【００４３】
次に、図７〜図９を参照して、本発明の第１実施形態による映像システム１００のリモートコントローラ１のモード設定時の制御フローを説明する。
【００４４】
まず、図９に示すように、リモートコントローラ１の制御部１４は、ステップＳ１において、以前のモード設定時から１秒経過したか否かを判断する。そして、ステップＳ１において、制御部１４が以前のモード設定時から１秒経過したと判断した場合には、ステップＳ２に進む。また、ステップＳ１において、制御部１４が以前のモード設定時から１秒経過していないと判断した場合には、１秒経過したと判断されるまで、制御部１４はステップＳ１の判断を繰り返す。
【００４５】
次に、ステップＳ２において、制御部１４は、加速度センサ１３で検知された水平面に対する筐体１０のＸＹ平面における傾きに基づいて、筐体１０（図７および図８参照）のＸ１方向側の端部１０ａが筐体１０のＸ２方向側の端部１０ｂよりも上方（Ｚ１方向側）に位置するか否かを判断する。そして、ステップＳ２において、制御部１４が、図７に示す筐体１０のＸ１方向側の端部１０ａが筐体１０のＸ２方向側の端部１０ｂよりも上方に位置すると判断した場合には、ステップＳ３に進み、制御部１４は、操作者１０００に対する筐体１０の向きがＡ方向であると判断し、レコーダモードを選択する。これにより、リモートコントローラ１のモード設定時の制御フローが終了される。また、ステップＳ２において、制御部１４が、図８に示す筐体１０のＸ２方向側の端部１０ｂが筐体１０のＸ１方向側の端部１０ａよりも上方に位置すると判断した場合には、ステップＳ４に進み、制御部１４は、操作者１０００に対する筐体１０の向きがＢ方向であると判断し、テレビモードを選択する。これにより、リモートコントローラ１のモード設定時の制御フローが終了される。
【００４６】
次に、図３および図１０を参照して、本発明の第１実施形態による映像システム１００のリモートコントローラ１のボタン押下時の制御フローを説明する。
【００４７】
まず、図１０に示すように、ステップＳ１１において、リモートコントローラ１の制御部１４は、操作ボタン１１ａ〜１１ｋ（図３参照）のいずれかが押下されたか否かを判断する。そして、ステップＳ１１において、制御部１４が操作ボタン１１ａ〜１１ｋのいずれかが押下されたと判断した場合には、ステップＳ１２に進む。また、ステップＳ１１において、制御部１４が操作ボタン１１ａ〜１１ｋのいずれも押下されていないと判断した場合には、操作ボタン１１ａ〜１１ｋのいずれかが押下されたと判断するまで、制御部１４はステップＳ１１の判断を繰り返す。
【００４８】
次に、ステップＳ１２において、現在、制御部１４においてレコーダモードが選択されているか否かが判断される。そして、ステップＳ１２において、制御部１４においてレコーダモードが選択されていると判断された場合には、ステップＳ１３に進み、制御部１４は、レコーダモードと操作ボタン１１ａ〜１１ｋの内の押下された操作ボタンとに対応したレコーダ操作情報を記憶部１５から読み出す。そして、ステップＳ１４に進み、制御部１４は、レコーダ操作情報をレコーダ用送信部１２ａに送信させる。これにより、リモートコントローラ１のボタン押下時の制御フローが終了される。また、ステップＳ１２において、制御部１４においてテレビモードが選択されていると判断された場合には、ステップＳ１５に進み、制御部１４は、テレビモードと操作ボタン１１ａ〜１１ｋの内の押下された操作ボタンとに対応したテレビ操作情報を記憶部１５から読み出す。そして、ステップＳ１６に進み、制御部１４は、テレビ操作情報をテレビ用送信部１２ｂに送信させる。これにより、リモートコントローラ１のボタン押下時の制御フローが終了される。
【００４９】
次に、図３、図４および図１１を参照して、本発明の第１実施形態による映像システム１００のレコーダ２および液晶テレビジョン３の制御フローを説明する。
【００５０】
まず、図１１に示すように、ステップＳ２１において、レコーダ２の制御部２２は、リモートコントローラ１（図３参照）のレコーダ用送信部１２ａ（図３参照）から送信されたレコーダ操作情報を受信部２１が受信したか否かを判断する。そして、ステップＳ２１において、制御部２２がレコーダ操作情報をリモートコントローラ１から受信したと判断した場合には、ステップＳ２２に進み、レコーダモードと操作ボタン１１ａ〜１１ｋ（図３参照）の内の押下された操作ボタンとに対応したレコーダ操作情報に対応した処理動作を行う。これにより、レコーダ２の制御フローが終了される。また、ステップＳ２１において、制御部２２がレコーダ操作情報をリモートコントローラ１から受信していないと判断した場合には、制御部２２は、レコーダ操作情報をリモートコントローラ１から受信したと判断するまで、ステップＳ２１の処理を繰り返す。
【００５１】
また、液晶テレビジョン３においてもレコーダ２の制御フローと同様に、ステップＳ２１において、液晶テレビジョン３の制御部３４は、リモートコントローラ１（図４参照）のテレビ用送信部１２ｂ（図４参照）から送信されたテレビ操作情報を受信部３１が受信したか否かを判断する。そして、ステップＳ２１において、制御部３４がテレビ操作情報をリモートコントローラ１から受信したと判断した場合には、ステップＳ２２に進み、テレビモードと操作ボタン１１ａ〜１１ｋ（図４参照）の内の押下された操作ボタンとに対応したテレビ操作情報に対応した処理動作を行う。これにより、液晶テレビジョン３の制御フローが終了される。また、ステップＳ２１において、制御部３４がテレビ操作情報をリモートコントローラ１から受信していないと判断した場合には、制御部３４は、テレビ操作情報をリモートコントローラ１から受信したと判断するまで、ステップＳ２１の処理を繰り返す。
【００５２】
第１実施形態では、上記のように、制御部１４が、加速度センサ１３によって検知された筐体１０の向きに基づいて、操作ボタン１１ａ〜１１ｋに割り当てられた機能を選択することによって、制御部１４は、加速度センサ１３により検知された筐体１０の向きに基づいて、操作ボタン１１ａ〜１１ｋの機能を自動的に切り替えることができるので、操作ボタン１１ａ〜１１ｋの機能を操作者１０００自身が切り替える必要がない。また、複数の操作ボタン１１ａ〜１１ｋは、各々が複数の機能を有するので、機能の数だけ各機能に対応する操作ボタン１１ａ〜１１ｋを設ける必要がない。これにより、機能の数が増加する場合においても、操作ボタン１１ａ〜１１ｋの数を増加させて対応する必要がないので、リモートコントローラ１が大型化するのを抑制することができる。
【００５３】
また、第１実施形態では、上記のように、加速度センサ１３が水平面に対して上方に角度αで傾くことによって、筐体１０のＸ１方向側の端部１０ａが筐体１０のＸ２方向側の端部１０ｂよりも上方（Ｚ１方向側）に位置する場合には、制御部１４がレコーダモードを選択するように構成するとともに、加速度センサ１３が水平面に対して下方に角度βで傾くことによって、筐体１０のＸ２方向側の端部１０ｂが筐体１０のＸ１方向側の端部１０ａよりも上方に位置する場合には、制御部１４がテレビモードを選択するように構成することによって、操作者１０００は、筐体１０を傾けることによって、操作ボタン１１ａ〜１１ｋの機能を選択することができるので、容易に、操作ボタン１１ａ〜１１ｋの機能を選択することができる。また、制御部１４が操作者１０００に対する筐体１０の向きがＡ方向またはＢ方向であると判断するように構成することによって、操作者１０００にとって使用しやすい向きに応じて操作ボタン１１ａ〜１１ｋの機能を選択させるように構成することができるので、操作者１０００にリモートコントローラ１を使用させやすくすることができる。また、制御部１４によって、筐体１０の向き（Ａ方向およびＢ方向）に応じて、複数の操作ボタン１１ａ〜１１ｋの機能がそれぞれ選択されるように構成することによって、複数の操作ボタン１１ａ〜１１ｋの各々には、２種類の機能がそれぞれ割り当てられることになる。これにより、たとえば３種類以上の機能が操作ボタン１１ａ〜１１ｋに割り当てられる場合と比べて、操作ボタン１１ａ〜１１ｋの機能を２種類に限定することができるので、操作者１０００が操作ボタン１１ａ〜１１ｋの操作を誤るのを抑制することができる。
【００５４】
また、第１実施形態では、上記のように、操作ボタン１１ａ〜１１ｋのそれぞれのＸ２方向側の近傍に、操作者１０００に対する筐体１０の向きがＡ方向である場合に、操作者１０００がＡ方向に見て読むことが可能であるように表示されたホログラムシールからなるボタン表示部１６ａ〜１６ｋを配置するとともに、操作ボタン１１ａ〜１１ｋのそれぞれのＸ１方向側の近傍に、操作者１０００に対する筐体１０の向きがＢ方向である場合に、操作者１０００がＢ方向に見て読むことが可能であるように表示されたホログラムシールからなるボタン表示部１７ａ〜１７ｉを配置することによって、操作者１０００は、リモートコントローラ１をＡ方向とＢ方向とのいずれの向きにした場合においても、操作ボタン１１ａ〜１１ｋの機能の内容を容易に確認することができるので、操作者１０００が操作ボタン１１ａ〜１１ｋの操作を誤るのを抑制することができる。また、ホログラムシートを用いることによって、筐体１０の向きがＡ方向である場合に、ボタン表示部１７ａ〜１７ｉを読みにくくすることができるとともに、筐体１０の向きがＢ方向である場合に、ボタン表示部１６ａ〜１６ｋを読みにくくすることができる。これにより、操作者１０００は、筐体１０のＡ方向に応じたボタン表示部１６ａ〜１６ｋおよび筐体１０のＢ方向に応じたボタン表示部１７ａ〜１７ｉをそれぞれより確認しやすくなるので、リモートコントローラ１をＡ方向とＢ方向とのいずれの向きにした場合においても、操作ボタン１１ａ〜１１ｋの操作を誤るのをより抑制することができる。また、ホログラムシートを用いて表示することによって、液晶表示装置などの表示装置を用いる必要がないので、リモートコントローラ１の構成が複雑化するのを抑制でき、その結果、リモートコントローラ１の大型化をさらに抑制することができる。
【００５５】
また、第１実施形態では、上記のように、制御部１４を、約１秒ごとに筐体１０の長手方向（Ｘ方向）におけるＸＹ平面の傾きに応じて、ボタン押下時のモード（レコーダモードおよびテレビモード）を選択するように構成することによって、制御部１４は、約１秒ごとに定期的に筐体１０の向きを判断するので、操作者１０００が筐体１０の向き（Ａ方向およびＢ方向）を変えた場合にも、制御部１４は、容易に変化後の筐体１０の向きを判断することができる。
【００５６】
（第２実施形態）
図１２および図１３を参照して、この第２実施形態による映像システムでは、上記第１実施形態と異なり、リモートコントローラ２０１の筐体２１０が、Ｘ１方向側の端部２１０ａからＸ２方向側の端部２１０ｂに沿って曲がった形状を有する場合について説明する。
【００５７】
本発明の第２実施形態によるリモートコントローラ２０１は、図１２および図１３に示すように、筐体２１０が、Ｘ１方向側の端部２１０ａからＸ２方向側の端部２１０ｂに沿ってアーチ状に曲がった形状を有している。また、筐体２１０は、複数の操作ボタン１１ａ〜１１ｋが形成されている面を上面として、凸形状になるように構成されている。これにより、図１２に示すように、操作者１０００がリモートコントローラ２０１の筐体２１０のＸ２方向側の端部２１０ｂ側を把持した場合に、リモートコントローラ２０１は略垂直方向（Ｚ方向）に把持された状態で、加速度センサ１３の筐体２１０の端部２１０ａ側が水平面に対して上方に角度γで傾く。これにより、筐体２１０のＸ１方向側の端部２１０ａが筐体２１０のＸ２方向側の端部２１０ｂよりも上方（Ｚ１方向側）に位置することによって、制御部（図示せず）は、操作者１０００に対する筐体２１０の向きがＡ方向であると判断し、レコーダモードを選択するように構成されている。
【００５８】
また、図１３に示すように、操作者１０００がリモートコントローラ２０１の筐体２１０のＸ１方向側の端部２１０ａ側を把持した場合に、リモートコントローラ２０１は略垂直方向（Ｚ方向）に把持された状態で、加速度センサ１３の筐体２１０の端部２１０ａ側が水平面に対して下方に角度σで傾く。これにより、筐体２１０のＸ２方向側の端部２１０ｂが筐体２１０のＸ１方向側の端部２１０ａよりも上方に位置することによって、制御部は、操作者１０００に対する筐体２１０の向きがＢ方向であると判断し、テレビモードを選択するように構成されている。なお、第２実施形態のその他の構造および制御は、上記第１実施形態と同様である。
【００５９】
第２実施形態では、上記のように、筐体２１０をＸ１方向側の端部２１０ａ側からＸ２方向側の端部２１０ｂ側に沿って曲がった形状を有するように構成することによって、曲がった形状を有する筐体２１０により、操作者１０００に筐体２１０の端部２１０ａ近傍または端部２１０ｂ近傍を略垂直方向（Ｚ方向）に把持しやすいように構成することができる。これにより、リモートコントローラ２０１を、操作者１０００によって、筐体２１０のＸ１方向側の端部２１０ａが筐体２１０のＸ２方向側の端部２１０ｂ側よりも下方（Ｚ２方向）または上方（Ｚ１方向）に傾くように把持されやすいように構成することができるので、より確実に、筐体２１０を傾けた状態にすることができる。なお、第２実施形態のその他の効果は、上記第１実施形態と同様である。
【００６０】
（第３実施形態）
図１４〜図１６を参照して、この第３実施形態による映像システムでは、上記第１実施形態と異なり、リモートコントローラ３０１の筐体１０に一対のタッチセンサ３１８ａおよび３１８ｂが設けられている場合について説明する。なお、タッチセンサ３１８ａおよび３１８ｂは、それぞれ、本発明の「検知部」の一例である。
【００６１】
本発明の第３実施形態によるリモートコントローラ３０１には、図１４〜図１６に示すように、筐体１０のＸ１方向、かつ、Ｙ１方向（図１４参照）側にタッチセンサ３１８ａが設けられているとともに、筐体１０のＸ２方向、かつ、Ｙ２方向（図１４参照）側にタッチセンサ３１８ｂが設けられている。このタッチセンサ３１８ａおよび３１８ｂは、それぞれ、操作者（図示せず）によって把持される際の操作者による接触を検知する機能を有する。これにより、操作者によって筐体１０のＸ２方向側の端部１０ｂ側が把持された場合には、タッチセンサ３１８ｂが接触を検知して、制御部（図示せず）は、操作者に対する筐体１０の向きがＡ方向であると判断し、レコーダモードを選択するとともに、操作者によって筐体１０のＸ１方向側の端部１０ａ側が把持された場合には、タッチセンサ３１８ａが接触を検知して、制御部は、操作者に対する筐体１０の向きがＢ方向であると判断し、テレビモードを選択するように構成されている。なお、第３実施形態のその他の構造および制御は、上記第１実施形態と同様である。
【００６２】
第３実施形態では、上記のように、操作者によって筐体１０のＸ２方向側の端部１０ｂ側を把持された場合に、タッチセンサ３１８ｂが接触を検知して、制御部がレコーダモードを選択するとともに、操作者によって筐体１０のＸ１方向側の端部１０ａ側を把持された場合に、タッチセンサ３１８ａが接触を検知して、制御部がテレビモードを選択するように構成することによって、操作者は、タッチセンサ３１８ａおよび３１８ｂに接触するように筐体１０を把持することによって、筐体１０の傾きに拘らず、操作ボタン１１ａ〜１１ｋの機能を選択することができるので、操作ボタン１１ａ〜１１ｋの機能をより確実に選択することができる。なお、第３実施形態のその他の効果は、上記第１実施形態と同様である。
【００６３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６４】
たとえば、上記第１〜第３実施形態では、リモートコントローラとレコーダと液晶テレビジョンとを含む映像システムに本発明を適用した例を示したが、本発明はこれに限らず、たとえば、リモートコントローラを備えた映像システムであれば、たとえば、ＰＣ（パーソナルコンピュータ）などに本発明を適用することができる。また、本発明のリモートコントロール装置は、レコーダや液晶テレビジョンを備える映像システムに適用する場合に限られず、たとえば、操作者がエアコンディショナと照明とをリモートコントローラを用いて操作する場合のように、操作者がリモートコントローラを用いて操作を行うことが可能である操作機器が２つ以上存在する状態であれば、本発明のリモートコントローラを適用することが可能である。
【００６５】
また、上記第１および第２実施形態では、リモートコントローラの制御部が筐体の長手方向（Ｘ方向）の傾きに応じてボタン押下時のモードを選択するように構成した例を示したが、本発明はこれに限らず、図１７に示す第１変形例のように、リモートコントローラ４０１の制御部（図示せず）が筐体４１０の短手方向（Ｙ方向）の傾きに応じて、ボタン押下時のモードを選択するように構成してもよい。すなわち、図示しない加速度センサを水平面に対する筐体４１０のＸＹ平面における傾きを検知するように構成するとともに、筐体４１０の側面のＹ２方向の端部４１０ｃにレコーダ用送信部４１２ｃを設け、筐体４１０の側面のＹ１方向の端部４１０ｄにテレビ用送信部４１２ｄを設けるように構成する。また、操作ボタン１１ａ〜１１ｋのそれぞれのＹ１方向側の近傍に、操作者（図示せず）に対する筐体４１０の向きがＣ方向である場合に、操作者がＣ方向に見て読むことが可能であるように表示されたボタン表示部４１６ａ〜４１６ｋが配置されるとともに、操作ボタン１１ａ〜１１ｋのそれぞれのＹ２方向側の近傍に、操作者に対する筐体４１０の向きがＤ方向である場合に、操作者がＤ方向に見て読むことが可能であるように表示されたボタン表示部４１７ａ〜４１７ｉが配置されるように構成してもよい。このように構成することによって、リモートコントローラ４０１が、水平面に対する筐体４１０のＸＹ平面において傾くことによって、制御部は、操作者に対する筐体４１０の向きがＣ方向またはＤ方向であると判断し、レコーダモードまたはテレビモードのいずれかを選択することが可能である。
【００６６】
また、上記第１〜第３実施形態では、リモートコントローラの筐体の側面のＸ１方向側に配置され、レコーダに赤外線信号を送信するレコーダ用送信部と、筐体の側面のＸ２方向側に配置され、液晶テレビジョンに赤外線信号を送信するテレビ用送信部とをそれぞれ設けた例を示したが、本発明はこれに限らず、図１８に示す第２変形例のように、リモートコントローラ５０１の筐体１０の側面のＸ１方向の端部１０ａ側にのみ、指向性に依存しない無線信号（ＲＦ（高周波）信号）を送信するための送信部５１２ｅを１つ設けるように構成してもよい。この際、送信部５１２ｅは、指向性を有する赤外線信号の場合とは異なり、指向性に依存しない無線信号を送信するように構成されているので、レコーダおよび液晶テレビジョンに送信部５１２ｅを向けた状態で無線信号を送信させる必要がない。すなわち、送信部を複数個設けなくても、レコーダおよび液晶テレビジョンに信号を受信させることが可能である。
【００６７】
また、上記第１および第２実施形態では、制御部が筐体の長手方向（Ｘ方向）におけるＸＹ平面の傾きに応じて、ボタン押下時のモードを選択するように構成するとともに、上記第１変形例では、制御部が筐体の短手方向（Ｙ方向）におけるＸＹ平面の傾きに応じて、ボタン押下時のモードを選択するように構成した例を示したが、本発明はこれに限らず、制御部は、筐体の長手方向のＸ１方向の端部またはＸ２方向の端部のいずれかと、筐体の短手方向のＹ１方向の端部またはＹ２方向の端部のいずれかとの位置を比較することにより、ボタン押下時のモードを選択するように構成してもよい。
【００６８】
また、上記第１および第２実施形態では、制御部を、筐体のＸ１方向側の端部が筐体のＸ２方向側の端部よりも上方に位置する場合に、操作者に対する筐体の向きがＡ方向であると判断し、レコーダモードを選択するように構成するとともに、筐体のＸ２方向側の端部が筐体のＸ１方向側の端部よりも上方に位置する場合に、操作者に対する筐体の向きがＢ方向であると判断し、テレビモードを選択するように構成した例を示したが、本発明はこれに限らず、制御部を、筐体のＸ１方向側の端部が筐体のＸ２方向側の端部よりも下方に位置する場合に、操作者に対する筐体の向きがＡ方向であると判断させ、レコーダモードを選択させるように構成するとともに、筐体のＸ２方向側の端部が筐体のＸ１方向側の端部よりも下方に位置する場合に、操作者に対する筐体の向きがＢ方向であると判断させ、テレビモードを選択させるように構成してもよい。
【００６９】
また、上記第１および第２実施形態では、制御部が、筐体のＸ１方向側の端部が筐体のＸ２方向側の端部よりも上方に位置する場合に、操作者に対する筐体の向きがＡ方向であると判断し、レコーダモードを選択するように構成するとともに、筐体のＸ２方向側の端部が筐体のＸ１方向側の端部よりも上方に位置する場合に、操作者に対する筐体の向きがＢ方向であると判断し、テレビモードを選択するように構成した例を示したが、本発明はこれに限らず、制御部を、加速度センサの筐体のＸ１方向側の端部側が水平面に対してある一定の角度範囲内である場合には、操作者に対する筐体の向きがＡ方向であると判断させ、レコーダモードを選択させるように構成するとともに、加速度センサの筐体のＸ１方向側の端部側が水平面に対してある一定の角度範囲内でない場合に、操作者に対する筐体の向きがＢ方向であると判断させ、テレビモードを選択させるように構成してもよい。
【００７０】
また、上記第１〜第３実施形態では、制御部がレコーダモードまたはテレビモードのいずれか一方を選択するように構成した例を示したが、本発明はこれに限らず、制御部は、３つ以上のボタン押下時のモードを選択するように構成してもよい。たとえば、第１実施形態と第１変形例とを組み合わせることによって、４つの方向（Ｘ１方向、Ｘ２方向、Ｙ１方向およびＹ２方向）に応じて、それぞれ異なるボタン押下時のモードを選択するように構成してもよい。
【００７１】
また、上記第１および第２実施形態では、筐体の向きを検知するために加速度センサを用いるとともに、上記第３実施形態では、筐体の向きを検知するためにタッチセンサを用いた例を示したが、本発明はこれに限らず、検知部は、筐体の向きを検知することが可能であれば、加速度センサおよびタッチセンサに限られない。たとえば、ジャイロセンサを用いて、筐体の角度から筐体の向きを検知するように構成してもよいし、温度センサを用いて操作者によって把持される際の温度センサの温度変化を検知することにより筐体の向きを検知するように構成してもよい。
【００７２】
また、上記第３実施形態では、筐体のＸ１方向かつＹ１方向側と、Ｘ２方向かつＹ２方向側とにそれぞれタッチセンサを設けた例を示したが、本発明はこれに限らず、タッチセンサは、筐体のＸ１方向かつＹ１方向側、または、筐体のＸ２方向かつＹ２方向側のいずれか一方にのみ設けてもよい。この場合、制御部は、タッチセンサへの接触の有無によって、筐体の向きを判断することが可能である。
【００７３】
また、上記第１〜第３実施形態では、ボタン表示部を、操作者に対する筐体の向きがＡ方向である場合に操作者がＡ方向に見て読むことが可能であるように表示するとともに、操作者に対する筐体の向きがＢ方向である場合に操作者がＢ方向に見て読むことが可能であるように表示するようにホログラムシールを用いた例を示したが、本発明はこれに限らず、ホログラムシール以外の部材を用いて、筐体の向きがＡ方向またはＢ方向である場合に、操作者がＡ方向またはＢ方向に見て読むことが可能であるように表示してもよい。また、筐体の向きがＡ方向またはＢ方向である場合に、ボタン表示部がＡ方向またはＢ方向に見て読むことが可能であるように表示されていれば、ボタン表示部を筐体と一体成形することにより、ホログラムシールなどの部材を用いずに表示してもよい。
【００７４】
また、上記第１〜第３実施形態では、約１秒ごとに、制御部が筐体の向きに応じてボタン押下時のモードを選択する例を示したが、本発明はこれに限らず、制御部は、所定の時間ごとにボタン押下時のモードを選択すればよく、約１秒ごとに選択する必要はない。また、操作ボタンの押下時に、制御部は筐体の向きに応じてボタン押下時のモードを選択するように構成してもよい。
【００７５】
また、上記第２実施形態では、リモートコントローラの筐体が、Ｘ１方向側の端部からＸ２方向側の端部に沿って曲がった形状を有する例を示したが、本発明はこれに限らず、筐体のＸ１方向側の端部側が操作者によって把持される場合に、筐体のＸ１方向側の端部が筐体のＸ２方向側の端部よりも上方に傾いていると判断されるとともに、筐体のＸ２方向側の端部側が操作者によって把持される場合には、筐体のＸ２方向側の端部が筐体のＸ１方向側の端部よりも上方に傾いていると判断されるように構成されていれば、リモートコントローラの筐体は、Ｘ１方向側の端部からＸ２方向側の端部に沿って曲がった形状を有する場合に限られない。
【符号の説明】
【００７６】
１、２０１、３０１、４０１、５０１  リモートコントローラ（リモートコントロール装置）
２  レコーダ（第１映像装置）
３  液晶テレビジョン（第２映像装置）
１０、２１０、４１０  筐体
１０ａ、２１０ａ、４１０ｃ  端部（一方端）
１０ｂ、２１０ｂ、４１０ｄ  端部（他方端）
１１ａ〜１１ｋ  操作ボタン
１２ａ、４１２ｃ  レコーダ用送信部（送信部）
１２ｂ、４１２ｄ  テレビ用送信部（送信部）
１３  加速度センサ（検知部）
１４  制御部
１６ａ〜１６ｋ、１７ａ〜１７ｉ  ボタン表示部（機能表示部）
２１  受信部（第１受信部）
３１  受信部（第２受信部）
１００  映像システム
３１８ａ、３１８ｂ  タッチセンサ（検知部）
５１２ｅ  送信部
１０００  操作者
【図１】
2010193223.tif 000003
【図２】
2010193223.tif 000004
【図３】
2010193223.tif 000005
【図４】
2010193223.tif 000006
【図５】
2010193223.tif 000007
【図６】
2010193223.tif 000008
【図７】
2010193223.tif 000009
【図８】
2010193223.tif 000010
【図９】
2010193223.tif 000011
【図１０】
2010193223.tif 000012
【図１１】
2010193223.tif 000013
【図１２】
2010193223.tif 000014
【図１３】
2010193223.tif 000015
【図１４】
2010193223.tif 000016
【図１５】
2010193223.tif 000017
【図１６】
2010193223.tif 000018
【図１７】
2010193223.tif 000019
【図１８】
2010193223.tif 000020